【手続補正書】
【提出日】平成31年3月6日(2019.3.6)
【手続補正１】
【補正対象書類名】明細書
【補正対象項目名】発明の名称
【補正方法】変更
【補正の内容】
【発明の名称】画像形成装置、その制御方法及びプログラム
【手続補正２】
【補正対象書類名】明細書
【補正対象項目名】０００１
【補正方法】変更
【補正の内容】
【０００１】
本発明は、画像形成装置、その制御方法及びプログラムに関し、特に、近距離無線通信を目的として携帯端末を画像形成装置に近づけた際のユーザの誤操作を抑制する画像形成装置、その制御方法及びプログラムに関する。
【手続補正３】
【補正対象書類名】明細書
【補正対象項目名】０００６
【補正方法】変更
【補正の内容】
【０００６】
本発明の目的は、近距離無線通信を目的として携帯端末を画像形成装置に近づけた際のユーザの誤操作を抑制することができる画像形成装置、その制御方法及びプログラム提供することにある。
【手続補正４】
【補正対象書類名】明細書
【補正対象項目名】０００７
【補正方法】変更
【補正の内容】
【０００７】
上記目的を達成するために、本発明の画像形成装置は、原稿を読み取り可能な読取部と、シートに画像を形成可能な画像形成部とを備え、コピー処理を実行可能な画像形成装置において、情報を表示可能であって且つユーザのタッチ操作を受け付け可能なタッチパネルと、近距離無線通信デバイスと通信可能な近距離無線通信部と、ユーザが前記コピー処理の開始を指示するためのタッチオブジェクトが配置された指示画面が前記タッチパネルに表示されている状態において、前記近距離無線通信部と前記近距離無線通信デバイスとが近接したことにしたがって、前記指示画面の一部に重畳オブジェクトを配置する配置手段と、有し、前記重畳オブジェクトが配置されている状態において、前記タッチオブジェクトによるコピー処理の開始の指示が無効化されることを特徴とする。
【手続補正５】
【補正対象書類名】明細書
【補正対象項目名】０００８
【補正方法】変更
【補正の内容】
【０００８】
本発明によれば、近距離無線通信を目的として携帯端末を画像形成装置に近づけた際のユーザの誤操作を抑制することができる。
【手続補正６】
【補正対象書類名】特許請求の範囲
【補正対象項目名】全文
【補正方法】変更
【補正の内容】
【特許請求の範囲】
【請求項１】
原稿を読み取り可能な読取部と、シートに画像を形成可能な画像形成部とを備え、コピー処理を実行可能な画像形成装置において、
情報を表示可能であって且つユーザのタッチ操作を受け付け可能なタッチパネルと、
近距離無線通信デバイスと通信可能な近距離無線通信部と、
ユーザが前記コピー処理の開始を指示するためのタッチオブジェクトが配置された指示画面が前記タッチパネルに表示されている状態において、前記近距離無線通信部と前記近距離無線通信デバイスとが近接したことにしたがって、前記指示画面の一部に重畳オブジェクトを配置する配置手段と、有し、
前記重畳オブジェクトが配置されている状態において、前記タッチオブジェクトによるコピー処理の開始の指示が無効化されることを特徴とする画像形成装置。
【請求項２】
前記配置手段は、前記ユーザがコピー処理の開始を指示するためのタッチオブジェクトが配置された指示画面が前記タッチパネルに表示されている状態において、前記近距離無線通信デバイスが出力する電波を検知したことに基づいて、前記指示画面の一部に前記重畳オブジェクトを配置することを特徴とする請求項１記載の画像形成装置。
【請求項３】
検知手段をさらに有し、
前記検知手段は、前記近距離無線通信デバイスが出力する電波を検知することにより前記近距離無線通信部と前記近距離無線通信デバイスとの近接を検知し、
前記配置手段は、前記検知手段が前記近距離無線通信部と前記近距離無線通信デバイスとの近接を検知したことに基づいて前記指示画面の一部に重畳オブジェクトを配置することを特徴とする請求項１又は２記載の画像形成装置。
【請求項４】
前記近距離無線通信部と前記近距離無線通信デバイスとが近接しても、ユーザから前記コピー処理の実行に関する操作を受け付けていない場合、前記配置手段は前記重畳オブジェクトを表示しないことを特徴とする請求項１乃至３のいずれか１項に記載の画像形成装置。
【請求項５】
前記コピー処理の実行に関する操作は、前記コピー処理を実行するための操作キーの押下、前記コピー処理の実行を中止するための操作キーの押下、又は前記画像形成装置の設定の変更を確定するための操作キーの押下を含むことを特徴とする請求項４記載の画像形成装置。
【請求項６】
前記重畳オブジェクトは確認ウインドウであることを特徴とする請求項１乃至５のいずれか１項に記載の画像形成装置。
【請求項７】
前記確認ウインドウはコピー処理の開始を指示するための指示オブジェクトを備えることを特徴とする請求項６記載の画像形成装置。
【請求項８】
前記確認ウインドウは、前記確認ウインドウを閉じるための指示オブジェクトを備えることを特徴とする請求項６又は７記載の画像形成装置。
【請求項９】
近距離無線通信デバイスは携帯端末であることを特徴とする請求項１乃至８のいずれか１項に記載の画像形成装置。
【請求項１０】
シートに画像を形成可能な画像形成部を備え、前記画像形成部を用いる所定の処理を実行可能な画像形成装置において、
情報を表示可能であって且つユーザのタッチ操作を受け付け可能なタッチパネルと、
近距離無線通信デバイスと通信可能な近距離無線通信部と、
ユーザが前記所定の処理の開始を指示するためのタッチオブジェクトが配置された指示画面が前記タッチパネルに表示されている状態において、前記近距離無線通信部と前記近距離無線通信デバイスとが近接したことにしたがって、前記指示画面の一部に重畳オブジェクトを配置する配置手段と、有し、
前記重畳オブジェクトが配置されている状態において、前記タッチオブジェクトによる所定の処理の開始の指示が無効化されることを特徴とする画像形成装置。
【請求項１１】
原稿を読み取り可能な読取部を備え、前記読取部を用いる所定の処理を実行可能な画像形成装置において、
情報を表示可能であって且つユーザのタッチ操作を受け付け可能なタッチパネルと、
近距離無線通信デバイスと通信可能な近距離無線通信部と、
ユーザが前記所定の処理の開始を指示するためのタッチオブジェクトが配置された指示画面が前記タッチパネルに表示されている状態において、前記近距離無線通信部と前記近距離無線通信デバイスとが近接したことにしたがって、前記指示画面の一部に重畳オブジェクトを配置する配置手段と、有し、
前記重畳オブジェクトが配置されている状態において、前記タッチオブジェクトによる所定の処理の開始の指示が無効化されることを特徴とする画像形成装置。
【請求項１２】
原稿を読み取り可能な読取部と、シートに画像を形成可能な画像形成部と、情報を表示可能であって且つユーザのタッチ操作を受け付け可能なタッチパネルと、近距離無線通信デバイスと通信可能な近距離無線通信部と、を備え、コピー処理を実行可能な画像形成装置の制御方法において、
ユーザが前記コピー処理の開始を指示するためのタッチオブジェクトが配置された指示画面が前記タッチパネルに表示されている状態において、前記近距離無線通信部と前記近距離無線通信デバイスとが近接したことにしたがって、前記指示画面の一部に重畳オブジェクトを配置する配置工程を有し、
前記重畳オブジェクトが配置されている状態において、前記タッチオブジェクトによるコピー処理の開始の指示が無効化されることを特徴とする制御方法。
【請求項１３】
シートに画像を形成可能な画像形成部と、情報を表示可能であって且つユーザのタッチ操作を受け付け可能なタッチパネルと、近距離無線通信デバイスと通信可能な近距離無線通信部と、を備え、前記画像形成部を用いる所定の処理を実行可能な画像形成装置の制御方法において、
ユーザが前記所定の処理の開始を指示するためのタッチオブジェクトが配置された指示画面が前記タッチパネルに表示されている状態において、前記近距離無線通信部と前記近距離無線通信デバイスとが近接したことにしたがって、前記指示画面の一部に重畳オブジェクトを配置する配置工程と、有し、
前記重畳オブジェクトが配置されている状態において、前記タッチオブジェクトによる所定の処理の開始の指示が無効化されることを特徴とする制御方法。
【請求項１４】
原稿を読み取り可能な読取部と、情報を表示可能であって且つユーザのタッチ操作を受け付け可能なタッチパネルと、近距離無線通信デバイスと通信可能な近距離無線通信部と、を備え、前記読取部を用いる所定の処理を実行可能な画像形成装置の制御方法において、
ユーザが前記所定の処理の開始を指示するためのタッチオブジェクトが配置された指示画面が前記タッチパネルに表示されている状態において、前記近距離無線通信部と前記近距離無線通信デバイスとが近接したことにしたがって、前記指示画面の一部に重畳オブジェクトを配置する配置工程と、有し、
前記重畳オブジェクトが配置されている状態において、前記タッチオブジェクトによる所定の処理の開始の指示が無効化されることを特徴とする制御方法。
【請求項１５】
請求項１２乃至１４のいずれか１項に記載の制御方法をコンピュータに実行させるためのプログラム。